(57)【要約】【課題】操作部材に連結される台座が外部に露出することがなく外観が良好な建具を提供すること。【解決手段】障子２に移動可能に設けられた錠係合部５１と操作部材６とを連動させ操作部材６により操作される連動部７を、方立１１および無目の見込み面１１Ａと障子２の見込み面２２Ａ，２３Ａとの間の設置空間Ｓに配置し、操作部材６を屋内側から無目と障子２との間に挿入可能とし、障子２が施錠されている状態において、連動部７の見込み方向であって操作部材６が挿入される屋内側の端縁が障子２の見込み方向の端縁と同じか設置空間Ｓの内部に位置する。【選択図】図４
2014185449.tif 000002
【特許請求の範囲】
【請求項１】
建物開口部に設けられる枠体と、この枠体に開閉自在に支持される面材と、前記枠体に対して前記面材を施解錠する錠装置とを備えた建具であって、
前記錠装置は、
前記枠体および面材のうちの一方に設けられて施錠位置と解錠位置との間で移動可能な錠係合部と、前記枠体および面材のうちの他方に設けられて前記錠係合部に係合可能な錠受け部と、操作部材の操作により前記錠係合部を連動させて施錠位置と解錠位置との間で移動させる連動部と、を備え、
前記連動部は、前記枠体の見込み面と前記面材の見込み面との間の設置空間に配置され、かつ前記面材が施錠されている状態において、前記連動部の見込み方向であって前記操作部材が挿入される側の端縁が前記面材の見込み方向の端縁と同じか前記設置空間の内部に位置し、
前記操作部材は、前記連動部に着脱可能であり、屋内側あるいは屋外側から前記枠体の見込み面と前記面材の見込み面との間の空間に挿入して前記連動部を操作可能である建具。
【請求項２】
前記連動部は、前記操作部材によって回動操作されるレバーと、このレバーに連結され前記レバーの回動操作により進退する作動片と、この作動片と前記錠係合部とに連結されるリンク部とを有し、
前記レバーには係合ピンが設けられ、この係合ピンに係合する係合溝が前記作動片に設けられるとともに、
前記係合溝は、前記レバーの前記回動操作を許容し前記作動片の移動を許容しない空転領域と、この空転領域に連続して設けられ前記レバーの回動操作を前記作動片に伝達する係合領域と、を有する請求項１に記載の建具。
【請求項３】
前記錠装置は、前記レバーが前記面材の見込み方向の端縁から突出しない状態を維持する付勢部材を備えている請求項１または請求項２に記載の建具。
【請求項４】
前記操作部材の先端部には係合突起が設けられ、かつ、前記レバーには、前記係合突起に係合可能とされる係合用切欠が設けられている請求項１ないし請求項３のいずれかに記載の建具。
【請求項５】
前記レバーには、さらに前記係合突起に係合可能とされる係合用孔が設けられている請求項４に記載の建具。
【請求項６】
前記操作部材は、前記係合突起が設けられた先端部と、握り部が形成された基端部とを備え、前記係合突起は、最も先端側に配置された第一係合突起と、この第一係合突起とそれぞれ同じ寸法離れて配置される第二係合突起及び第三係合突起とを備えた請求項５に記載の建具。
【発明の詳細な説明】
【技術分野】
【０００１】
本発明は、建具に関し、詳しくは、建物開口部に枠体が設けられ、この枠体に面材が開閉自在に支持され、枠体に対して面材を錠装置で施解錠する建具に関する。
【背景技術】
【０００２】
従来、開閉窓や縦辷り出し窓等の建具では、枠体に対して障子（面材）が錠装置で施解錠されている。
建具には、防犯上の理由から、障子を枠体に対して施錠し、あるいは、解錠するハンドルが着脱自在とされたタイプのものがある。
このタイプの建具として、ハンドルの回転操作により回転軸が回転する窓サッシの開閉機構を備え、ハンドルが回転軸に対して着脱可能とされた竪軸辷り窓の従来例がある（特許文献１）。
【０００３】
この特許文献１の従来例は、ハンドル取付部と窓の開度調節つまみとが一体的に設けられた窓操作部を備えており、この窓操作部は窓の下枠に取り付けられている。ハンドルには、開閉機構の回転軸に対する取り付け取り外しを可能とする着脱機構が設けられており、この着脱機構は、回転軸の周面を先端が係合する係合部をハンドルに回動自在に設け、この係合部を回動させることで、ハンドルが回転軸に対して着脱となる。
【先行技術文献】
【特許文献】
【０００４】
【特許文献１】特開２００４−２８５６１０号公報
【発明の概要】
【発明が解決しようとする課題】
【０００５】
特許文献１で示される従来例では、ハンドルを窓操作部から取り外しても、窓操作部が下枠から屋内に突出した状態で残される。
そのため、ハンドルがない状態でも、窓操作部が台座として下枠に残るので、窓の外観が不良となる。この点、窓操作部を小さくして目立たなくすることも考えられるが、ハンドルを回転軸に連結するために、窓操作部に大きなスペースが必要とされるので、窓操作部自体を小さくすることに限界がある。
【０００６】
本発明の目的は、操作部材に連結される台座が外部に露出することがなく、外観が良好な建具を提供することにある。
【課題を解決するための手段】
【０００７】
本発明の建具は、建物開口部に設けられる枠体と、この枠体に開閉自在に支持される面材と、前記枠体に対して前記面材を施解錠する錠装置とを備えた建具であって、前記錠装置は、前記枠体および面材のうちの一方に設けられて施錠位置と解錠位置との間で移動可能な錠係合部と、前記枠体および面材のうちの他方に設けられて前記錠係合部に係合可能な錠受け部と、操作部材の操作により前記錠係合部を連動させて施錠位置と解錠位置との間で移動させる連動部と、を備え、前記連動部は、前記枠体の見込み面と前記面材の見込み面との間の設置空間に配置され、かつ前記面材が施錠されている状態において、前記連動部の見込み方向であって前記操作部材が挿入される側の端縁が前記面材の見込み方向の端縁と同じか前記設置空間の内部に位置し、前記操作部材は、前記連動部に着脱可能であり、屋内側あるいは屋外側から前記枠体の見込み面と前記面材の見込み面との間の空間に挿入して前記連動部を操作可能であることを特徴とする。
【０００８】
この構成の発明では、面材を解錠するため、屋内側あるいは屋外側から操作部材を枠体の見込み面と面材の見込み面との間の空間に挿入して連動部に係合させた後、操作部材によって連動部を操作する。すると、係合部が錠受け部から外れて面材の開放操作が可能となる。逆に、面材を施錠するため、面材で枠体を閉じた後、操作部材によって連動部を先ほどとは逆に操作する。すると、連動部を介して錠係合部が解錠位置から施錠位置に移動し、錠係合部が錠受け部に係合される。施錠されたら、操作部材を連動部から外す。操作部材が連動部から外されているので、錠装置を操作することができない。
本発明では、連動部が面材と枠体との間に設けられた設置空間に配置されており、しかも、面材が施錠されている状態において、連動部の見込み方向であって操作部材が挿入される側の端縁が面材の見込み方向の端縁と同じかあるいは設置空間の内部にあるので、操作部材が係合される連動部が面材の見込み方向の端縁から露出することがなく、建具の外観が良好となる。
【０００９】
本発明の建具では、前記連動部は、前記操作部材によって回動操作されるレバーと、このレバーに連結され前記レバーの回動操作により進退する作動片と、この作動片と前記錠係合部とに連結されるリンク部とを有し、前記レバーには係合ピンが設けられ、この係合ピンに係合する係合溝が前記作動片に設けられるとともに、前記係合溝は、前記レバーの前記回動操作を許容し前記作動片の移動を許容しない空転領域と、この空転領域に連続して設けられ前記レバーの回動操作を前記作動片に伝達する係合領域と、を有する構成が好ましい。
【００１０】
この構成では、面材が施錠されている状態で、操作部材をレバーに装着して回動操作すると、レバーに設けられた係合ピンが係合溝の空転領域を移動する。係合ピンが空転領域を移動している状態では、レバーの回動操作が許容されるが、作動片が移動しないままとなり、レバーの一部が面材の見込み方向の端縁から引き出される。レバーの一部が面材から引き出されたら、必要に応じて、操作部材のレバーへの係合位置を変える。その後、操作部材によってレバーをさらに回動し続けると、係合ピンが空転領域から係合領域に係合され、レバーの回動によって係合ピンが係合領域を移動することによって作動片が前進する。すると、リンク部を介して錠係合部が施錠位置から解錠位置に移動し、錠係合部が錠受け部から外れて面材の開放操作が可能となる。
以上の構成によれば、係合ピンに係合する係合溝は、レバーの回動操作を作動片に伝達する係合領域の他に、レバーの前記回動操作を許容し作動片の移動を許容しない空転領域を有するから、レバーを面材から引き出す際に、作動片が動かず大きな力がかからない。そのため、レバーの一部が面材から露出した状態で、最も力をかけやすい位置に操作部材をレバーに取り付けることが可能となり、解錠操作など容易に行える。
【００１１】
本発明の建具では、前記錠装置は、前記レバーが前記面材の見込み方向の端縁から突出しない状態を維持する付勢部材を備えている構成が好ましい。
この構成では、レバーに設けられた係合ピンが係合溝の空転領域にあって、レバーが回動しやすい状態であっても、付勢部材によって、レバーが面材から突出しない状態で維持される。そのため、地震などによって外部から面材や錠装置に力がかかってレバーが動こうとしても、面材が施錠されている状態では、レバーが面材の見込み方向の端縁から誤って突出することがないので、良好な外観を維持できる。
【００１２】
本発明の建具では、前記操作部材の先端には係合突起が設けられ、かつ、前記レバーには、前記係合突起に係合可能とされる係合用切欠が設けられている構成が好ましい。
この構成では、操作部材の係合突起をレバーの係合用切欠の開口から内部に挿入して操作部材を係合用切欠に係合させ、その状態で、操作部材を引っ張ることで、レバーを容易に引き出すことができる。
【００１３】
本発明の建具では、前記レバーには、さらに前記係合突起に係合可能とされる係合用孔が設けられている構成が好ましい。
この構成では、操作部材の係合突起をレバーの係合用切欠に係合させて操作部材を引っ張ってレバーを面材から引き出した後、係合突起を係合用孔に係合して操作部材によりレバーを回動操作する。操作部材の係合突起が係合用孔に係合されているので、操作部材がレバーから抜けにくくなり、操作部材の力をレバーに効率的に伝達することができる。
【００１４】
本発明の建具では、前記操作部材は、前記係合突起が設けられた先端部と、握り部が形成された基端部とを備え、前記係合突起は、最も先端側に配置された第一係合突起と、この第一係合突起とそれぞれ同じ寸法離れて配置される第二係合突起及び第三係合突起とを備えた構成が好ましい。
この構成では、第一係合突起で係合用切欠を係合してレバーを引き出し、その後、第二係合突起および第三係合突起の一方を係合用孔に係合して操作部材でレバーを所定方向、例えば、時計回りに回動操作する。また、面材のヒンジ装置などの取付位置が逆である場合には、第一係合突起で係合用切欠を係合してレバーを引き出した後、第二係合突起および第三係合突起の他方を係合用孔に係合し、操作部材でレバーを所定方向、例えば、反時計回りに回動操作する。
これにより、ヒンジ装置などの面材の回動中心の取付位置が相違する面材でも、使用する３つの係合突起のうち使用する係合突起を選択するだけで、１つの操作部材で面材を施解錠することができる。そのため、面材の種類が複数あっても、操作部材を共用することができるので、コストダウンを図ることができる。
【発明の効果】
【００１５】
本発明では、操作部材に連結される台座が面材の外部に露出することがなく、建具の外観が良好となる。
【図面の簡単な説明】
【００１６】
【図１】本発明の一実施形態に係る建具の全体構成を屋内から見た正面図。
【図２】建具の横断面図。
【図３】建具の縦断面図。
【図４】錠装置を示す展開斜視図。
【図５】錠装置を示す分解斜視図。
【図６】建具の要部を示す縦断面図。
【図７】錠装置の要部を示す平面図。
【図８】（Ａ）はレバーを引き出した状態を示す錠装置の展開斜視図、（Ｂ）はレバーを回動して解錠した状態を示す錠装置の展開斜視図。
【図９】（Ａ）はレバーを引き出した状態を示す建具の縦断面図、（Ｂ）はレバーを回動して解錠した状態を示す建具の縦断面図。
【図１０】（Ａ）はレバーを引き出した状態を示す錠装置の要部平面図、（Ｂ）はレバーを回動して解錠した状態を示す錠装置の要部平面図。
【発明を実施するための形態】
【００１７】
本発明の実施形態を図面に基づいて説明する。
図１から図３において、本実施形態の建具は、建物開口部Ｐに設けられる枠体１と、この枠体１に開閉自在に支持される２枚の面材としての障子２および２枚の内倒し窓３と、これらの障子２および内倒し窓３の屋外側に配置された２枚の外部サッシ窓４と、枠体１に対して障子２を施解錠する錠装置５とを有するもので、障子２は定期点検（例えば、月に一度のメンテナンス）のために開閉される。
枠体１は、障子２および内倒し窓３を保持する方立１１および無目１２と、外部サッシ窓４を保持する枠部１３とを備えている。
【００１８】
障子２は、上框２１、下框２２および左右の縦框２３を四周框組みした内部に、ガラスパネル２４を嵌め込んで構成されている。
２枚の障子２のうち図１において右側に配置される障子２は、図１の右側の縦框２３が図示しないヒンジ装置などを介して図１中右側に配置される方立１１に支持され、図１の左側の縦框２３が開放可能に構成されている。２枚の障子２のうち図１において左側に配置される障子２は、図１の左側の縦框２３が図示しないヒンジ装置などを介して左側に配置された方立１１に支持され、図１の右側の縦框２３が屋内側に開放可能に構成されている。左右の障子２の間には方立１１が配置されている。
【００１９】
内倒し窓３は、それぞれ障子２の下方に配置されている。
内倒し窓３は、上框３１、下框３２および左右の縦框３３を四周框組みした内部に、ガラスパネル３４を嵌め込み、かつ、下框３２が図示しないヒンジ装置などを介して図１中最も下方に配置された無目１２に支持され、上框３１が開放可能に構成されている。
外部サッシ窓４は、枠部１３に保持される上框４１、下框４２および左右の縦框４３を四周框組みした内部に、ガラスパネル４４を嵌め込んだ構成である。
【００２０】
錠装置５の構成が図４から図７に示されている。これらの図を用いた錠装置５の説明は、図２中、左右の障子２のうち右側に配置された障子２に用いられた錠装置５についての説明である。図２中、左側の障子２に配置された錠装置５は、右側の障子２に配置された錠装置５と左右を反転させた構成であるため、詳細な説明は省略する。
図４から図７において、錠装置５は、障子２の縦框２３に設けられ施錠位置と解錠位置との間で移動可能な錠係合部５１と、方立１１に設けられて錠係合部５１に係合可能な錠受け部５２と、錠係合部５１を施錠位置と解錠位置とに移動させる操作部材６と、この操作部材６と錠係合部５１とを連動させる連動部７とを備えている。
錠係合部５１はロックピンからなり、縦框２３の見込み面２３Ａに対向する板部５１０と、この板部５１０から突出して形成された円柱状の突出部５１１とを有する。
錠受け部５２は方立１１の見込み面１１Ａに固定されており、突出部５１１に係合するＵ字状の係合凹部５２０を有する。
【００２１】
連動部７は、方立１１および無目１２の見込み面１１Ａ，１２Ａと、障子２の下框２２および縦框２３の見込み面２２Ａ，２３Ａとの間の設置空間Ｓに配置されるものであり、下框２２の見込み面２２Ａに取り付けられるベース部材７０と、このベース部材７０に回動自在に設けられるレバー８と、このレバー８に重ね合わされる板部９１を有する作動片９と、作動片９と錠係合部５１とに連結されるリンク部１０と、レバー８が障子２の見込み方向の端縁から突出しない状態を維持する付勢部材としてのばね部材１００と、を備えて構成されている。
ベース部材７０は、レバー８および作動片９の板部９１を取り付ける凹部７０１と、この凹部７０１の両端側にそれぞれ設けられる取付片部７０２とを備え、取付片部７０２は下框２２の下面に図示しない固着具で固定されている。凹部７０１の深さはレバー８および板部９１の合計の厚さ寸法より大きい。なお、ベース部材７０の下框２２への取付位置は左右の障子２の間に配置された方立１１に近接した位置である。
凹部７０１には、レバー８を回動自在に支持する支点ピン７１と、作動片９を案内するガイドピン７２と、ばね部材１００を取り付ける取付用ピン７３とがそれぞれ設けられている。
【００２２】
レバー８は、板状部８０の屋内側の部分に係合用切欠８１と係合用孔８２とが並んで形成された構造である。レバー８の板状部８０には作動片９に係合する係合ピン８３が設けられている。
レバー８は、障子２が施錠されている状態では、屋内側の端縁が下框２２の見込み方向の屋内側端縁より屋内側にあり、この状態がばね部材１００で維持される。この状態において、係合用切欠８１と同じ平面形状となるようにベース部材７０の端縁に切り込み７０Ａが形成されている。
ばね部材１００は、取付用ピン７３に係合される巻回部１００Ａと、この巻回部１００Ａに接続されレバー８の端部に形成された係合凹部８０Ａに係合される係合部１００Ｂとを有する。なお、本実施形態では、付勢部材をばね部材１００に代えてゴムなどの弾性部材を用いてもよい。
【００２３】
作動片９は、板部９１と、この板部９１の屋外側端縁から起立して設けられた係合片部９２とを有する。
板部９１には、係合ピン８３に係合する係合溝９３が設けられている。この係合溝９３は、レバー８の回動操作を作動片に伝達する係合領域９３Ａと、この係合領域９３Ａに連続して設けられレバー８の回動操作を許容し作動片９の移動を許容しない空転領域９３Ｂと、を有する。係合領域９３Ａは作動片９の進退方向と直交する方向（見込み方向）に延びて形成されている。
空転領域９３Ｂは係合領域９３Ａから作動片の進退方向（下框２２の長手方向）に向かって支点ピン７１を中心に回転する方向に形成されている。
【００２４】
板部９１には、支点ピン７１を案内する第一ガイド溝９０１と、ガイドピン７２を案内する第二ガイド溝９０２とがそれぞれ作動片９の進退方向、つまり、下框２２の長手方向に沿って形成されている。なお、支点ピン７１の頂部には、レバー８の抜け止めをするために、第一ガイド溝９０１の幅寸法より直径の大きな抜止部７１０が設けられている。同様に、ガイドピン７２の頂部には、レバー８の抜け止めをするために、第二ガイド溝９０２の幅寸法より直径の大きな抜止部７２０が設けられている。
【００２５】
リンク部１０は、作動片９の係合片部９２と係合される連結金物１０１と、この連結金物１０１に取り付けられ下框２２の長手方向に沿って延びる下框連動バー１０２と、この下框連動バー１０２に連結されて下框２２と縦框２３とのコーナー部分に設けられるコーナー連動部１０３と、このコーナー連動部１０３に連結されて縦框２３に沿って移動可能な縦框連動バー１０４とを備えて構成されている。
【００２６】
連結金物１０１には係合片部９２を係合するための係合孔１０１Ａが形成されている。
コーナー連動部１０３は、下框連動バー１０２の進退動を縦框連動バー１０４の進退動に変換するものであり、下框用ブラケット１０５により下框２２に取り付けられ、縦框用ブラケット１０６により縦框２３に取り付けられる。
縦框連動バー１０４には錠係合部５１を係合する係合孔１０４Ａが形成されている。
縦框連動バー１０４はバーガイド１０７によって縦框２３に進退自在に取り付けられる。
なお、縦框連動バー１０４の長さと錠係合部５１および錠受け部５２の設置個数は、建具の大きさに応じて適宜設定されるものである。図４および図５では、錠係合部５１および錠受け部５２の個数は、それぞれ１個であるが、大きな建具の場合には、縦框連動バー１０４を長くし、この縦框連動バー１０４に２個目、あるいは３個目の錠係合部５１を設け、これらの錠係合部５１に対応する方立１１に錠受け部５２を設けるものでもよい。
【００２７】
図６において、障子２が施錠されている状態では、連動部７の見込み方向の寸法Ｌは障子２の下框２２の見込み方向の寸法Ｍ以下である。連動部７の見込み方向であって屋内側の端縁Ｌ１が無目１２の屋内側端縁Ｍ１および下框２２の見込み方向の屋内側端縁Ｎ１と同じか設置空間Ｓの内部に位置し、連動部７の見込み方向であって屋外側の端縁Ｌ２が無目１２の屋外側端縁Ｍ２および下框２２の見込み方向の屋外側端縁Ｎ２より設置空間Ｓの内部に位置する。
【００２８】
操作部材６は、レバー８を回動操作するものであり、屋内側から下框２２と無目１２との間に挿入可能とされる。
操作部材６は、長尺状の基端部６０Ａおよび基端部６０Ａに一体形成された三角形状の先端部６０Ｂを有するプレート６０を備えている。基端部６０Ａは握り部を構成する。
プレート６０の先端部６０Ｂには、レバー８の係合用切欠８１と係合用孔８２とに係合する第一係合突起６１、第二係合突起６２および第三係合突起６３が設けられている。
第一係合突起６１は最も先端側に配置されており、第二係合突起６２と第三係合突起６３とは、それぞれ第一係合突起６１とは同じ寸法離れて配置されている。操作部材６の長手方向に沿った線分であって第一係合突起６１を通る線分に対して、第二係合突起６２と第二係合突起６３とは同じ寸法離れて配置されている。
【００２９】
屋内側から障子２を開放する操作について説明する。
点検などのために、図２中、右側に配置された障子２を開閉する。そのため、まず、作業員は操作部材６を手にし、この操作部材６の先端部６０Ｂを無目１２と下框２２との間に挿入する（図６および図７参照）。
そして、図８（Ａ）、図９（Ａ）および図１０（Ａ）に示される通り、操作部材６の先端にある第一係合突起６１で係合用切欠８１を係合し、そのまま引っ張る。すると、ばね部材１００の付勢力に抗してレバー８がばね部材１００から外れ、レバー８が支点ピン７１を中心に回動するとともに係合ピン８３が係合溝９３の空転領域９３Ｂを移動する。この状態では、レバー８の回動操作が許容されるが、作動片９が移動しないままであり、係合用孔８２が露出するまでレバー８の一部が下框２２の見込み方向の屋内側端縁から引き出されることになる。
【００３０】
レバー８の一部が下框２２の見込み方向端部から引き出されたら、図８（Ｂ）、図９（Ｂ）および図１０（Ｂ）に示される通り、操作部材６の最先端にある第一係合突起６１で係合用切欠８１を再度係合し、第二係合突起６２で係合用孔８２を係合して操作部材６によってレバー８を所定の方向（図８では時計回り）に回動する。すると、係合ピン８３が空転領域９３Ｂから係合領域９３Ａに係合され、さらに、係合ピン８３が係合領域９３Ａを移動することで、作動片９が前進する。
作動片９が前進すると、作動片９と係合される連結金物１０１、下框連動バー１０２、コーナー連動部１０３および縦框連動バー１０４が前進し、錠係合部５１が施錠位置から解錠位置に移動して錠係合部５１が錠受け部５２から外れる。
この状態で、操作部材６をさらに引き続けると、障子２が開放される。
【００３１】
点検が終了して障子２を施錠するには、障子２を枠体１に閉じ、操作部材６によってレバー８を逆の方向（図８では反時計回り）に回動し、作動片９を後退させる。作動片９の後退に伴って、連結金物１０１、下框連動バー１０２、コーナー連動部１０３および縦框連動バー１０４が後退し、錠係合部５１が解錠位置から施錠位置に移動して錠係合部５１が錠受け部５２に係合される。
また、図２中、左側の障子２を開放する方法は、右側の障子２を開放する方法と同じであるが、障子２のヒンジ装置の取付位置が左右の方立１１で逆のため、下框２２の見込み方向端部から一部が引き出されたレバー８を操作部材６で回動操作するために、操作部材６の最先端にある第一係合突起６１で係合用切欠８１を係合し、第三係合突起６３で係合用孔８２を係合して操作部材６によってレバー８を所定の方向（図８では反時計回り）に回動することになる。
【００３２】
従って、本実施形態では、次の効果を奏することができる。
（１）障子２に移動可能に設けられた錠係合部５１と操作部材６とを連動させ操作部材６により操作される連動部７を、方立１１および無目１２の見込み面１１Ａ，１２Ａと障子２の見込み面２２Ａ，２３Ａとの間の設置空間Ｓに配置し、操作部材６を屋内側から無目１２と障子２との間に挿入可能とし、障子２が施錠されている状態において、連動部７の見込み方向であって操作部材６が挿入される屋内側の端縁が障子２の見込み方向の端縁と同じか設置空間Ｓの内部に位置する構成としたので、閉じられている障子２から連動部７が露出することがないから、建具の外観が良好となる。しかも、操作部材６が連動部７に着脱自在とされているので、障子２が閉じられている状態では、操作部材６を連動部７から外すことにより、連動部７を操作できなくなり、防犯上、好ましい。
【００３３】
（２）連動部７は、操作部材６により回動操作されるレバー８を有し、レバー８に係合ピン８３が設けられ、この係合ピン８３に係合する係合溝９３が作動片９に設けられ、係合溝９３は、レバー８の回動操作を許容し作動片９の移動を許容しない空転領域９３Ｂと、この空錬領域９３Ｂに連続して設けられレバー８の回動操作を作動片に伝達する係合領域９３Ａと、を有するから、レバー８を障子２から引き出す際に、空転領域９３Ｂがあることで作動片９を動かさなくてもすむので、大きな力を必要としない。そのため、レバー８の一部が障子２から露出した状態で、最も力をかけやすい位置に操作部材６をレバー８に取り付けることが可能となり、解錠施錠の操作を容易に行える。
【００３４】
（３）レバー８に設けられた係合ピン８３が空転領域９３Ｂにあってレバー８が回動しやすい状態にあっても、レバー８が障子２の見込み方向の端縁から突出しない状態を維持するばね部材１００により、レバー８が障子２から突出しない。そのため、障子２が施錠されている状態で、レバー８が障子２から突出することがないので、良好な外観を維持できる。
【００３５】
（４）操作部材６の先端には係合突起６１が設けられ、レバー８には、係合突起６１に係合可能とされる係合用切欠８１が設けられているから、係合突起６１をレバー８の係合用切欠８１の開口から内部に移動して係合用切欠８１に係合させ、その状態で、操作部材６を引っ張ることで、レバー８を容易に引き出すことができる。
【００３６】
（５）係合突起６２に係合可能とされる係合用孔８２が操作部材６に設けられているので、係合突起６１を係合用切欠８１に係合させて操作部材６を障子２から引き出した後で、操作部材６でレバー８を回動操作する際に、係合突起６２を係合用孔８２に係合しているので、操作部材６がレバー８から抜けにくくなり、操作部材６の力をレバー８に効率的に伝達することができる。
【００３７】
（６）操作部材６は、先端部６０Ｂと握り部とされた基端部６０Ａとを有し、先端部６０Ｂにおいて、第一係合突起６１、第二係合突起６２および第三係合突起６３を設けたから、ヒンジ装置の位置が左右で異なる２種類の障子２を開閉する際に、１つの操作部材６を兼用することができる。
【００３８】
（７）レバー８および作動片９を障子２の下框２２に取り付けるためベース部材７０を備え、このベース部材７０の凹部７０１に、レバー８を回動自在に支持する支点ピン７１と、作動片９を案内するガイドピン７２とを設け、支点ピン７１を案内する第一ガイド溝９０１と、ガイドピン７２を案内する第二ガイド溝９０２とをそれぞれ作動片９の進退方向に沿って形成したので、レバー８の回動操作によって進退する作動片９の直進性が確保されることになり、連動部７を正確に作動させることができる。
【００３９】
なお、本発明は、前記実施形態に限定されるものではなく、本発明の目的を達成できる他の構成等を含み、以下に示すような変形等も本発明に含まれる。
例えば、前記実施形態においては、操作部材６をレバー８に着脱自在に取り付ける構成として、操作部材６に第一係合突起６１、第二係合突起６２および第三係合突起６３を設け、レバー８に第一係合突起６１、第二係合突起６２および第三係合突起６３に係合可能とされる係合用孔８２と係合用切欠８１とを設けた構成としたが、本発明では、操作部材６とレバー８とを連結する構成は前記実施形態に限定されるものではなく、例えば、係合用切欠８１に代えて係合用孔８２を用いてもよい。つまり、第一係合突起６１、第二係合突起６２および第三係合突起６３に係合される対象を全て孔から形成するものでもよい。ただし、前記実施形態のように、レバー８を引き出すために係合用切欠８１を用いれば、施錠されてレバー８が障子２と無目１２との間に隠れていても、操作部材６をレバー８に向けて差し込むことで、第一係合用切欠８１に係合突起６１を容易に係合させることができる。さらに、第一係合突起６１、第二係合突起６２および第三係合突起６３に係合される対象を全て係合用切欠から形成するものでもよい。
さらに、本発明では、レバー８に突起を設け、この突起に係合されるフックを操作部材６のプレート６０に設けるものでもよい。さらに、操作部材６はプレート状に限定されるものではなく、棒状部材から形成されるものでもよい。特に、握り部を棒状部材から形成することで、操作性が良好となる。
【００４０】
前記実施形態では、係合溝９３を、レバー８の回動操作を作動片に伝達する係合領域９３Ａと、この係合領域９３Ａに連続して設けられレバー８の回動操作を許容し作動片９の移動を許容しない空転領域９３Ｂとを有する構成としたが、本発明では、係合領域のみとし、空転領域を省略するものでもよい。この構成では、レバーを回動し始める時から操作部材に負荷がかかるが、錠装置全体が軽量であり円滑に作動する場合には、使用に際しての不都合は少ないものとなる。
【００４１】
前記実施形態では、建具を内開き窓として説明したが、外開き窓としてもよい。外開き窓の場合では、火災等の非常時において、消防隊などが屋外側から屋内に進入しようとした場合にのみ開放される窓であってもよい。
また、本発明の建具は、内倒し窓や外倒し窓にも利用することが可能であり、さらに、縦辷り出し窓などにも利用することが可能である。
【００４２】
さらに、方立１１および無目１２からなる枠体に面材である障子２が支持されるものに限らず、枠体としては、枠材を四周枠組みした窓枠であってもよく、面材としては、単体のパネル材等から構成されるものであってもよい。
また、前記実施形態では、錠装置５のうち錠係合部５１と、連動部７とを障子２に設け、錠受け部５２を方立１１に設けたが、本発明では、これとは逆、つまり、錠係合部５１と、連動部７とを方立１１および無目１２に設け、錠受け部５２を障子２に設けるものでもよい。
【００４３】
また、前記実施形態では、錠装置として、一般的なシリンダー錠のような構成でもよく、その他任意の形式の錠が利用できる。そして、本発明では、操作部材としては、錠装置を解錠するための機能のみを有したもの、例えば、操作つまみやレバー、ダイアルなどであってもよく、この場合には、屋内側から面材を開放操作するための固定ハンドルが別途設けられていてもよい。
【符号の説明】
【００４４】
１…枠体、２…障子（面材）、５…錠装置、６…操作部材、７…連動部、８…レバー、９…作動片、１０…リンク部、１１…方立、１２…無目、１１Ａ，１２Ａ，２２Ａ，２３Ａ…見込み面、８３…係合ピン、５１…錠係合部、５２…錠受け部、６０…プレート、６０Ａ…基端部、６０Ｂ…先端部、６１…第一係合突起、６２…第二係合突起、６３…第三係合突起、８１…係合用切欠、８２…係合用孔、９３…係合溝、９３Ａ…係合領域、９３Ｂ…空転領域、１００…ばね部材（付勢部材）、Ｓ…設置空間
【図１】
2014185449.tif 000003
【図２】
2014185449.tif 000004
【図３】
2014185449.tif 000005
【図４】
2014185449.tif 000006
【図５】
2014185449.tif 000007
【図６】
2014185449.tif 000008
【図７】
2014185449.tif 000009
【図８】
2014185449.tif 000010
【図９】
2014185449.tif 000011
【図１０】
2014185449.tif 000012